(57)【要約】      （修正有）【課題】電子製品等における放熱部材内部の冷却液体の外漏れを防止した放熱装置を提供する。【解決手段】放熱装置は、放熱部材１０、該放熱部材に固定されたトップカバー２０、該放熱部材に固定されたボトムカバー３０、及び該トップカバーに挿入された管材４０を包含する。該放熱部材は周壁１１と、該周壁により画定されチャンバ１２を具備する。該管材は環状壁４１、該環状壁で画定された貫通孔４２、及び該環状壁に形成され且つ該貫通孔を閉じるのに用いられる閉じ部を有する。該管材４０は該チャンバ１２内に挿入され、該閉じ部により該貫通孔が閉じられ、該管材が該トップカバー２０に挿入された後、該管材４０の上端面が該トップカバー２０の上端面と同一平面とされ、該管材４０が外力作用により破裂しないものとされる。【選択図】図３
0003176281.tif 000002
【実用新案登録請求の範囲】
【請求項１】
放熱装置において、
周壁と、該周壁により画定されたチャンバを有する放熱部材と、
該放熱部材の上端に固定され、穿孔を備えたトップカバーと、
該放熱部材の下端に固定されるボトムカバーと、
管材で、該穿孔に挿入され並びに該チャンバ内に延伸され、環状壁と、該環状壁により画定された貫通孔と、該環状壁に形成され且つ該貫通孔を閉じる閉じ部を備えた上記管材と、
を包含することを特徴とする、放熱装置。
【請求項２】
請求項１記載の放熱装置において、該周壁に凹部が形成され、該凹部により該環状壁の該凹部に対応する部分が押圧されて、陥没部が形成され、該陥没部が並びに該環状壁の内側面に圧着されて該閉じ部が形成されたことを特徴とする、放熱装置。
【請求項３】
請求項１記載の放熱装置において、該周壁の互いに対向する部分に対立する凹部が形成され、これらの凹部が該環状壁のこれら凹部に対応する部分を押圧して二つの陥没部を形成し、これらの陥没部が互いに圧着され該閉じ部を形成することを特徴とする、放熱装置。
【請求項４】
請求項１記載の放熱装置において、該チャンバ内部に複数のチャネルが設置されたことを特徴とする、放熱装置。
【請求項５】
請求項２又は３記載の放熱装置において、該管材の上端面が該トップカバーの上端面と平らに揃えられ、該貫通孔の開口が加熱溶融された半田により閉じられることを特徴とする、放熱装置。
【考案の詳細な説明】
【技術分野】
【０００１】
本考案は放熱装置で、放熱部材内部の冷却液体の外漏れを防止した放熱装置に関する。
【背景技術】
【０００２】
電子製品の動作時に発生する熱を有効に伝導、排除するため、放熱装置による放熱は、電子製品を正常に動作させて、システム全体の安定性を維持するための鍵を握る因子となっている。
【０００３】
図１、２に示されるように、周知の放熱装置は、放熱部材１００、該放熱部材１００に固定されたトップカバー２００、該放熱部材１００に固定されたボトムカバー３００、及び該トップカバー２００に通された管材４００を包含する。該放熱部材１００は、周壁１０１、及び周壁１０１により画定されたチャンバ１０２を備え、該管材４００がトップカバー２００を突き抜けて該チャンバ１０２内に進入し、冷却液体（たとえば水、冷媒、図示せず）が該管材４００より該チャンバ１０２内に注入され、さらに加熱溶融状態の半田５００で該管材４００開口が閉じられ、該冷却液体の外漏れが防止される。しかし、該冷却液体を該チャンバ１０２に注入するのに便利であるように、該管材４００は該トップカバー２００より突出しているため、該管材４００は外力による衝突により破裂しやすく、そのためチャンバ１０２内部に充填された該冷却液体が外漏れし、放熱効果が下がることがある。
【考案の概要】
【考案が解決しようとする課題】
【０００４】
本考案の目的は、放熱部材内部の冷却液体の外漏れを防止した放熱装置を提供することにある。
【課題を解決するための手段】
【０００５】
本考案の放熱装置は、放熱部材、トップカバー、ボトムカバー、及び該トップカバーに挿入された管材を包含する。
該放熱部材は、周壁と、該周壁により画定されたチャンバを有する。
該トップカバーは、該放熱部材の上端に固定され、該トップカバーは穿孔を備えている。
該ボトムカバーは、該放熱部材の下端に固定される。
該管材は、該穿孔に挿入され並びに該チャンバ内に延伸され、該管材は環状壁と、該環状壁により画定された貫通孔と、該環状壁に形成され且つ該貫通孔を閉じるのに用いられる閉じ部を有する。
【考案の効果】
【０００６】
本考案によると、該貫通孔より冷却液体が該チャンバ内に注入され、並びに該閉じ部により該貫通孔が閉じられることで、該チャンバ内部に充填された冷却液体の漏洩を防止し、該管材が該トップカバーに挿入された後、該管材の上端面が該トップカバーの上端面と平らに揃えられることで、該管材が外力作用を受けて破裂することがないものとされる。
【図面の簡単な説明】
【０００７】
【図１】周知の放熱装置の組合せ断面図であり、管材がトップカバーに挿入され並びに放熱部材内部に延伸された状態を示す。
【図２】周知の放熱装置の部分拡大断面図であり、加熱溶融した半田で該管材が閉じられた状態を示す。
【図３】本考案の立体分解図であり、放熱部材、トップカバー、ボトムカバー及び管材の関係位置を示す。
【図４】本考案の組合せ断面図であり、該放熱部材内部がチャンバとされた状態を示す。
【図５】本考案の組合せ断面図であり、該チャンバ内に複数のチャネルが形成された状態を示す。
【図６】本考案の部分拡大断面図であり、管材が陥没部を有し、該陥没部が環状壁の内側面と閉じ部を形成する状態を示す。
【図７】本考案の部分拡大断面図であり、管材が二つの対向する陥没部を有し、該二つの陥没部が互いに当接して閉じ部を形成する状態を示す。
【図８】本考案の組合せ断面図であり、放熱装置が発熱素子上に取付けられた状態を示す。
【考案を実施するための形態】
【０００８】
本考案の技術内容、構造特徴、達成する目的を詳細に説明するため、以下に実施例を挙げ並びに図面を組み合わせて説明する。
【０００９】
図３、４、５及び図８を参照されたい。本考案の放熱装置は、放熱部材１０、トップカバー２０、ボトムカバー３０、及び該トップカバー２０に挿入された管材４０を包含する。
【００１０】
該放熱部材１０は、周壁１１と、該周壁１１により画定されたチャンバ１２を有する。該チャンバ１２内部には、複数の、該周壁１１に接続された隔板１３を備え、二つの隣り合う隔板１３の間にチャネル１４が形成されている。
【００１１】
該トップカバー２０は、該放熱部材１０の上端に固定され、該トップカバー２０は穿孔２１を備えている。
【００１２】
該ボトムカバー３０は、該放熱部材１０の下端に固定される。
【００１３】
該管材４０は、該穿孔２１に挿入され並びに該チャンバ１２内に延伸され、該管材４０は環状壁４１と、該環状壁４１により画定された貫通孔４２と、該環状壁４１に形成され且つ該貫通孔４２を閉じるのに用いられる閉じ部を有する。
【００１４】
上述の閉じ部の構造には以下の二種類がある。
図６を参照されたい。第１種の閉じ部の構造は、該周壁１１の一部をプレスして凹部１１１が形成され、該凹部１１１により該環状壁４１の該凹部１１１に対応する部分が圧着されて、陥没部４１１が形成され、該陥没部４１１が並びに該環状壁４１の内側面４１２を押圧して該閉じ部４３が形成されている。
【００１５】
図７を参照されたい。第２種の閉じ部の構造は、該周壁１１の互いに対向する部分をプレスして凹部１１１が形成され、該凹部１１１が相互に対立するものとされ、二つの凹部１１１が該環状壁４１のこれら凹部１１１に対応する部分を押圧して二つの陥没部４１１を形成し、これら二つの陥没部４１１が圧着されて閉じ部４３ａを形成する。
【００１６】
図６、７に示されるように、該放熱部材１０と該トップカバー２０、該ボトムカバー３０が固定された後、該管材４０が該トップカバー２０の該穿孔２１に挿入され、該管材４０は並びに該チャンバ１２内に延伸され、該貫通孔４２と該チャンバ１２を連通させ、放熱用の冷却液体が予め該貫通孔４２の開口４２１より該チャンバ１２内に注入される。該作業液体は該複数のチャネル１４内を任意に流動可能であり、加熱溶融された半田５０により該貫通孔４２の該開口４２１が閉じられ、該管材４０が該トップカバー２０に挿入された後、該管材４０の上端面は該トップカバー２０の上端面と平らに揃えられ、これにより、該管材４０の外力作用による破裂が防止され、該チャンバ１２内部に充填された該冷却液体が該放熱装置の外に漏れるのを防止して、該放熱装置の放熱効果を確保する。
【００１７】
該チャンバ１２内部は、該複数の隔板１３の設置が無くてもよい。（図４のとおり）。
【００１８】
図８に示されるように、該放熱装置は発熱素子６０上に固定され、該発熱素子６０の動作により熱量を発生する時、該冷却液体の流動と伝導により、該発熱素子６０の熱量は速やかに伝導放出される。
【００１９】
該発熱素子６０は電子製品或いはその他の製品とされ得る。
【００２０】
総合すると、本考案の進歩性は以下のとおりである。
１．該閉じ部４３（又は４３ａ）と該半田５０が該貫通孔４２に対して二つの密閉を形成し、有効に該チャンバ１２内部に充填された冷却液体の漏洩を防止する。
２．該管材４０が該トップカバー３０に挿入された後、該管材４０の上端面は該トップカバー２０の上端面と揃えられ、該管材４０は周知の放熱装置のように該トップカバー２０より突出することがないため、該管材４０が外力作用を受けて破裂することがない。
【００２１】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００２２】
１００  放熱部材            １０１  周壁
１０２  チャンバ            ２００  トップカバー
３００  ボトムカバー        ４００  管材
５００  半田
１０    放熱部材            １１  周壁
１１１  凹部                １２  チャンバ
１３    隔板                １４  チャネル
２０    トップカバー        ２１  穿孔
３０    ボトムカバー        ４０  管材
４１    環状壁              ４１１陥没部
４１２  内側面              ４２  貫通孔
４２１  開口                ４３、４３ａ  閉じ部
５０    半田                ６０  発熱素子
【図１】
0003176281.tif 000003
【図２】
0003176281.tif 000004
【図３】
0003176281.tif 000005
【図４】
0003176281.tif 000006
【図５】
0003176281.tif 000007
【図６】
0003176281.tif 000008
【図７】
0003176281.tif 000009
【図８】
0003176281.tif 000010